(57)【要約】【課題】麦飯石による効能を有する浴槽において、麦飯石の手入れを簡単でき、且つ弱酸性の湯を弱アルカリ性に短時間で変化させる。【解決手段】麦飯石の側壁３を有する浴槽２と、該側壁に開設した孔31から圧力空気を噴射可能な圧力空気噴射装置４とからなる浴槽装置。浴槽の壁面を構成する麦飯石から湯に溶出するミネラル成分によって、及び、麦飯石が発する遠赤外線によって、疲労回復、温熱効果を得ることができる。又、浴槽に吹き込まれる圧力空気が気泡流を発生させ、気泡流によるマッサージ効果と、気泡が破裂する時に発する超音波によるマッサージ効果を得ることもできる。麦飯石と気泡流の相乗効果により、弱酸性の湯が短時間で弱アルカリ性に短時間で変化させる。【選択図】図１
0003160136.tif 000002
【実用新案登録請求の範囲】
【請求項１】
麦飯石の側壁(３)を有する浴槽(２)と、該側壁に開設した孔(31)から圧力空気を噴射可能な圧力空気噴射装置(４)とからなる、浴槽装置。
【請求項２】
麦飯石の側壁(３)に開設した孔(31)に圧力空気噴射装置(４)の一部を成す圧力空気噴射管(42)を繋いでいる、請求項１に記載の浴槽装置。
【請求項３】
浴槽(２)は、側壁(21)は内外二重構造で、内側の側壁(３)が麦飯石にて形成され、措置壁と内壁との間に浴槽内エアー配管(43)がなされ、該浴槽内エアー配管(43)を通じて供給された圧力空気を麦飯石の側壁(３)の孔(31)から浴槽内へ噴射可能な、請求項１に記載の浴槽装置。
【考案の詳細な説明】
【技術分野】
【０００１】
本考案は、麦飯石と気泡流の効能を付与できる浴槽装置に関するものである。
【背景技術】
【０００２】
麦飯石を収容した通水性の容器を浴槽に沈めて、麦飯石から溶出するミネラル成分によって、及び、麦飯石が発する遠赤外線によって、疲労回復、温熱効果を得ることが行われている(特許文献１)。
又、浴槽に圧力空気を吹き込んで、気泡流を発生させ、気泡流によるマッサージ効果と、気泡が破裂する時に発する超音波によるマッサージ効果を得ることも行われている。
又、麦飯石には、分子レベルで物質を吸着する働きがあり、水に入れると、残留塩素や雑菌等の不純物を吸い取り、水を清浄化する作用があることも知られている。
又、麦飯石は物理吸着のみならず、化学吸着力がある。即ち、残留塩素や臭いの素を吸い取って、さらに分解する能力を有している。物理吸着と化学吸着の２種類の吸着作用が麦飯石の強みである。
【先行技術文献】
【特許文献】
【０００３】
【特許文献１】特開２００３−１３５２９９号公報
【考案の概要】
【考案が解決しようとする課題】
【０００４】
麦飯石に浴槽中の不純物が吸着されるということは、定期的に麦飯石を洗浄して表面を綺麗にしておく必要がある。ところがこの作業が面倒であるため怠り勝ちとなり、麦飯石の効能を十分に発揮させないまま使用していることが多い。
【０００５】
他方、浴槽の湯は、弱アルカリ性の方が湯冷めし難い。水道水のpHは市町村によって異なるが、基準値は、5.8以上、8.6以下であり、弱酸性のところも多い。
麦飯石が水質の調節効果があることが知られており、出願人は、pH6.8の水２リットルに小石状の麦飯石を沈め、pH7.2になるまでの時間を計ったところ約６時間を要した。これでは時間が掛かりすぎて、弱酸性の水を弱アルカリ性に変えて入浴するのは実際的ではない。
【０００６】
本考案は、麦飯石による効能を有する浴槽において、麦飯石の手入れを簡単に行うことのできる、浴槽を明らかにするものである。
更に、浴槽に圧力空気を吹き込んで、気泡流によるマッサージ効果と、気泡が破裂する時に発する超音波によるマッサージ効果を奏すること及び、麦飯石と気泡流の相乗効果により、弱酸性の湯を弱アルカリ性に短時間で変化させることにより、手軽に弱アルカリ性の湯に浸かることのできる、浴槽装置を明らかにするものである。
【課題を解決するための手段】
【０００７】
請求項１の浴槽装置は、麦飯石の側壁(３)を有する浴槽(２)と、該側壁に開設した孔(31)から圧力空気を噴射可能な圧力空気噴射装置(４)とからなる。
【０００８】
請求項２は、請求項１の浴槽装置において、麦飯石の側壁(３)に開設した孔(31)に圧力空気噴射装置(４)の一部を成す圧力空気送給管(42)を繋いでいる。
【０００９】
請求項３は、請求項１の浴槽装置において、浴槽(２)は、側壁は内外二重構造で、内側の側壁(３)が麦飯石にて形成され、内側の麦飯石の側壁(３)と外側壁(21)との間に浴槽内エアー配管(43)がなされ、該浴槽内エアー配管(43)を通じて供給された圧力空気を麦飯石の側壁(３)の孔(31)から浴槽内へ噴射可能である。
【考案の効果】
【００１０】
請求項１の浴槽装置は、浴槽(２)の壁面を構成する麦飯石から湯に溶出するミネラル成分によって、及び、麦飯石が発する遠赤外線によって、疲労回復、温熱効果を得ることができる。
又、浴槽(２)に吹き込まれる圧力空気が気泡流を発生させ、気泡流によるマッサージ効果と、気泡が破裂する時に発する超音波によるマッサージ効果を得ることもできる。
【００１１】
浴槽(２)の内壁面を洗うことが、麦飯石の壁を洗うことになり、従来の麦飯石を収容した通水性容器を浴槽に沈めた場合の様に、浴槽と別個に麦飯石を洗う手間を省くことができる。
【００１２】
又、四方の壁を麦飯石で形成した簡易実験用小型の容器に、pH6.8の水２リットルを入れ、チューブにより水中に圧力空気を連続して吹き込んだところ、pH7.2に達するのに３０分を要しただけであった。
これは、気泡流によって水が撹拌されて、水か麦飯石に接する機会が増えて、反応が急速に進むためと考えられる。
従って、弱酸性の湯を弱アルカリ性の湯に変えることに長時間を要する問題は解決できる。
弱アルカリ性の湯は、保温性に優れ、湯冷めし難い効果を奏する。
気泡流によって水が撹拌されて、水が麦飯石に接する機会が増えることは、残留塩素や雑菌等の不純物を吸い取る働きをより活発にして、水を清浄化する作用を向上させることができる。
【００１３】
請求項２の浴槽装置は、浴槽の側壁(３)を麦飯石で形成し、該側壁(３)に圧力空気噴射管(42)を繋ぐだけでよいから、構成を簡素化できる。
【００１４】
請求項３の浴槽装置は、既存の浴槽の側壁を外壁とし、麦飯石で形成した側壁(３)を内壁として、該外壁より内側に配備し、外壁と内壁の間に浴槽内エアー配管(43)を施し、該浴槽内エアー配管(43)に圧力空気噴射装置(４)の一部を成す圧力空気送給管(42)を接続すればよいので、既存の浴槽を浴槽装置の一部に使用することができる。
【図面の簡単な説明】
【００１５】
【図１】第１実施例の浴槽装置の縦断面図である。
【図２】図１Ａ−Ａ線に沿う断面図である。
【図３】第２実施例の縦断面図である。
【考案を実施するための形態】
【００１６】
［第１実施例］
図１、図２に示す如く、浴槽装置(１)は浴槽(２)と圧力空気噴射装置(４)とからなる。
上面開口の略直方体の浴槽(２)の四方の側壁は、外側壁(21)と内側壁(20)の二重構造となっている。
上記浴槽(２)の外側壁(21)と底壁(22)の材質は、浴槽としての耐久性があれば、材質は檜、ステンレス、琺瑯、強化プラスチック等、種類は問わない。
【００１７】
内側壁(20)は、麦飯石で形成された側壁(３)であり、厚みは１.５cm程度である。
上記麦飯石の側壁(３)には、多数の孔(31)が開設されている。
実施例の孔(31)は、直径約２cmで、縦横４〜５cmピッチで規則的に開設されているる。
【００１８】
上記浴槽(２)に圧力空気噴射装置(４)が連繋される。
圧力空気噴射装置(４)は、浴槽(２)の外に位置するコンプレッサー(41)と、浴槽(２)内に配備される浴槽内エアー配管(43)と、コンプレッサー(41)と浴槽内エアー配管(43)を接続する圧力空気送給管(42)とによって構成される。
【００１９】
浴槽内エアー配管(43)は、前記麦飯石の側壁(３)と浴槽(２)の外側壁(21)との間に配備される。実施例では１本の管を蛇行させて、四方の麦飯石の側壁(３)に沿う様に配設されている。
浴槽内エアー配管(43)の周面には多数の小孔(図示せず)が開設されている。
【００２０】
上記浴槽(２)内の湯に浸かると、麦飯石の側壁(３)から湯に溶出するミネラル成分によって、及び、麦飯石が発する遠赤外線によって、疲労回復、温熱効果を得ることができる。
又、コンプレッサー(41)を運転すると、浴槽内エアー配管(43)の周面の多数の小孔から圧力空気が噴射され、麦飯石の側壁(３)の孔(31)から浴槽(２)に流出して、気泡流を発生させ、気泡流によるマッサージ効果と、気泡が破裂する時に発する超音波によるマッサージ効果を得ることもできる。
【００２１】
一般的に、浴槽(２)は毎日掃除され、特に湯垢のこびりつく浴槽(２)の内側壁(20)は洗剤等で重点的に洗い流される。浴槽(２)の内側壁(20)、即ち、麦飯石の側壁(３)は毎日、綺麗に掃除されることになる。
浴槽(２)の掃除が、直接麦飯石の側壁(３)を掃除することになる。このため、従来の麦飯石を収容した通水性容器を浴槽に沈めた場合の様に、浴槽と別個に麦飯石を洗う手間を省くことができる。
【００２２】
［第２実施例］
図３は本考案の第２実施例を示している。
前記第１実施例の浴槽(２)の側壁が二重構造であったのに対し、第２実施例の略直方体の浴槽(２)の側壁(３)は一重構造であり、麦飯石で形成されている。
浴槽(２)の底壁(22)は必ずしも麦飯石である必要はない。
【００２３】
浴槽(２)の１又は複数の側壁(３)に圧力空気噴射装置(４)が連繋される。
圧力空気噴射装置(４)は、コンプレッサー(41)と、浴槽(２)の側壁(３)に開設された複数の孔(31)どうしを繋ぐヘッダー配管(44)と、コンプレッサー(41)をヘッダー配管(44)に接続する圧力空気送給管(42)とによって構成される。
【００２４】
第２実施例の浴槽装置も、第１実施例と同様にして、麦飯石の側壁(３)から湯に溶出するミネラル成分によって、及び、麦飯石が発する遠赤外線によって、疲労回復、温熱効果を得ることができる。
又、コンプレッサー(41)を運転すると、ヘッダー配管(44)から浴槽内へ送られた圧力空気が気泡流を発生させ、気泡流によるマッサージ効果と、気泡が破裂する時に発する超音波によるマッサージ効果を得ることもできる。
【００２５】
実験例
従来型の浴槽と本考案の浴槽に、５人の被験者に浸かってもらい、感想を求めた。
以下の「結果」は５人の平均値である。
［従来の浴槽］
条件
浴槽：夫々内面の横長さ９０cm、奥行き７０cm、高さ５５cm。
容量は約３５０リットル。２００リットルの湯を入れ、湯温を４０°を保った。
結果：暖まってきたと感じるまでに約３０分を要した。
湯から出て約１時間で寒さを感じた。
［比較例の浴槽］
条件
浴槽：上記従来型の浴槽の４方の内面に対向して４枚の麦飯石を配備した。
浴槽の長手方向に沿う内面に対向する板は、横長さ８０cm、高さ３０cm、            厚み２cmである。残り２枚の板は、横長さ６０cm、高さ３０cmである。
浴槽に２００リットルの湯を入れ、湯温を４０°を保った。
結果：暖まってきたと感じるまでに約２０分を要した。
湯から出て約１.５時間で寒さを感じた。
［本考案の浴槽］
浴槽：上記従来型の浴槽の条件に加え得て、浴槽内面と麦飯石の板との間に配備            した圧力空気噴射ノズルから空気を空気を暗射して、湯に気泡流れを生じ            させた。
結果：暖まってきたと感じるまでに約１５分を要するだけであった。
湯から出て約３時間程度は暖かく感じた。
【００２６】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【００２７】
例えば、浴槽(２)の四方の内面の全てを麦飯石で形成する必要はなく、１又は複数の面でもよい。
又、麦飯石の側壁(21)は、ベースとなる板にタイル状の麦飯石を並べて接合して形成することもできる。
【符号の説明】
【００２８】
１  浴槽装置
２  浴槽
３  側壁
４  圧力空気噴射装置
【図１】
0003160136.tif 000003
【図２】
0003160136.tif 000004
【図３】
0003160136.tif 000005
【手続補正書】
【提出日】平成22年2月16日(2010.2.16)
【手続補正１】
【補正対象書類名】明細書
【補正対象項目名】００１２
【補正方法】変更
【補正の内容】
【００１２】
又、四方の壁を麦飯石で形成した簡易実験用小型の容器に、pH6.8の水２リットルを入れ、チューブにより水中に圧力空気を連続して吹き込んだところ、pH7.2に達するのに３０分を要しただけであった。
これは、気泡流によって水が撹拌されて、水が麦飯石に接する機会が増えて、反応が急速に進むためと考えられる。
従って、弱酸性の湯を弱アルカリ性の湯に変えることに長時間を要する問題は解決できる。
弱アルカリ性の湯は、保温性に優れ、湯冷めし難い効果を奏する。
気泡流によって水が撹拌されて、水が麦飯石に接する機会が増えることは、残留塩素や雑菌等の不純物を吸い取る働きをより活発にして、水を清浄化する作用を向上させることができる。
【手続補正２】
【補正対象書類名】明細書
【補正対象項目名】００２５
【補正方法】変更
【補正の内容】
【００２５】
実験例
従来型の浴槽と本発明の浴槽に、５人の被験者に浸かってもらい、感想を求めた。
以下の「結果」は５人の平均値である。
［従来の浴槽］
条件
浴槽：夫々内面の横長さ９０cm、奥行き７０cm、高さ５５cm。
容量は約３５０リットル。２００リットルの湯を入れ、湯温を４０°を保っ
た。
結果：暖まってきたと感じるまでに約３０分を要した。
湯から出て約１時間で寒さを感じた。
［比較例の浴槽］
条件
浴槽：上記従来型の浴槽の４方の内面に対向して４枚の麦飯石を配備した。
浴槽の長手方向に沿う内面に対向する板は、横長さ８０cm、高さ３０cm、厚
み２cmである。残り２枚の板は、横長さ６０cm、高さ３０cmである。
浴槽に２００リットルの湯を入れ、湯温を４０°を保った。
結果：暖まってきたと感じるまでに約２０分を要した。
湯から出て約１.５時間で寒さを感じた。
［本考案の浴槽］
浴槽：上記従来型の浴槽の条件に加えて、浴槽内面と麦飯石の板との間に配備した
圧力空気噴射ノズルから空気を空気を暗射して、湯に気泡流れを生じさせ
た。
結果：暖まってきたと感じるまでに約１５分を要するだけであった。
湯から出て約３時間程度は暖かく感じた。
【手続補正３】
【補正対象書類名】実用新案登録請求の範囲
【補正対象項目名】全文
【補正方法】変更
【補正の内容】
【実用新案登録請求の範囲】
【請求項１】
浴槽(２)と、該浴槽内の湯に投入した麦飯石の粉末と、側壁に開設した孔(31)から圧力空気を噴射可能な圧力空気噴射装置(４)とからなる、浴槽装置。
【請求項２】
麦飯石の側壁(３)に開設した孔(31)に圧力空気噴射装置(４)の一部を成す圧力空気噴射管(42)を繋いでいる、請求項１に記載の浴槽装置。
【請求項３】
浴槽(２)は、側壁(21)は内外二重構造で、内側の側壁(３)が麦飯石にて形成され、外壁と内壁との間に浴槽内エアー配管(43)がなされ、該浴槽内エアー配管(43)を通じて供給された圧力空気を麦飯石の側壁(３)の孔(31)から浴槽内へ噴射可能な、請求項１に記載の浴槽装置。
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
麦飯石で形成された側壁(３)を有する浴槽(２)と、該側壁に開設した孔(31)から圧力空気を噴射可能な圧力空気噴射装置(４)とからなる、浴槽装置。
【請求項２】
麦飯石で形成された側壁(３)に開設した孔(31)に圧力空気噴射装置(４)の一部を成す圧力空気噴射管(42)を繋いでいる、請求項１に記載の浴槽装置。
【請求項３】
浴槽(２)は、側壁(21)は内外二重構造で、内側の側壁(３)が麦飯石にて形成され、外壁と内壁との間に浴槽内エアー配管(43)がなされ、該浴槽内エアー配管(43)を通じて供給された圧力空気を麦飯石の側壁(３)の孔(31)から浴槽内へ噴射可能な、請求項１に記載の浴槽装置。
【手続補正２】
【補正対象書類名】明細書
【補正対象項目名】００１７
【補正方法】変更
【補正の内容】
【００１７】
内側壁(20)は、麦飯石で形成された側壁(３)であり、厚みは１.５cm程度である。
上記麦飯石の側壁(３)には、多数の孔(31)が開設されている。
実施例の孔(31)は、直径約２cmで、縦横４〜５cmピッチで規則的に開設されている。